(57)【要約】【課題】外部の壁面に近接して電話機を設置した場合であっても、使用者が子機を掴むために必要な空間を確保することが可能な電話機を提供することにある。【解決手段】電話機１００は、親機１０及び子機１０１を備え、上記親機１０は、上記子機１０１を収容可能な収容部１８と、上記親機１０を構成する筺体の外周面のうち、上記収容部１８を囲う第１外周面領域Ａに対して上記筺体の外方に突出した突出部２５と、を有し、上記第１外周面領域Ａの一部には、上記収容部１８に収容された上記子機１０１を露出させる切り込み部２４を有して構成されている。【選択図】図２
2012129926.tif 000002
【特許請求の範囲】
【請求項１】
本体機器及び受話機器を備えた電話機であって、
前記本体機器は、前記受話機器を収容可能な収容部と、
前記本体機器を構成する筺体の外周面のうち、前記収容部を囲う第１外周面領域に対して前記筺体の外方に突出した突出部と、を有し、
前記第１外周面領域の一部には、前記収容部に収容された前記受話機器を露出させる切り込み部を有すること、
を特徴とする電話機。
【請求項２】
前記突出部は、前記外周面のうち、前記第１外周面領域以外の領域に設けられたこと、
を特徴とする請求項１記載の電話機。
【請求項３】
前記本体機器は、前記外周面を構成する面のうち、一つの面に表示部又は操作部を有し、
前記突出部は、前記表示部又は操作部を有する面の反対側の面に設けられたこと、
を特徴とする請求項１又は２記載の電話機。
【請求項４】
前記切り込み部は、前記収容部と連通しており、
前記切り込み部の底面は、前記収容部側から前記筺体の外方に向かって下方に傾斜して形成されること、
を特徴とする請求項１から３の何れか１項に記載の電話機。
【請求項５】
前記突出部は、前記本体機器を外部の壁面に接して配置した際に、前記外部の壁面と前記収容部との間に使用者が前記受話機器を掴握可能な空間を画成すること、
を特徴とする請求項１から４の何れか１項に記載の電話機。
【請求項６】
前記突出部は、前記切り込み部の底面の面上から引き延ばした延長線より下方に設けられたこと、
を特徴とする請求項４又は５に記載の電話機。
【請求項７】
前記突出部は、前記筺体の外方に向かって突出する複数の突出面を有して構成され、
複数の前記突出面のうち、前記切り込み部の底面側に位置する上面は、前記切り込み部の底面と同角度をなして形成されたこと、
を特徴とする請求項４から６の何れか１項に記載の電話機。
【請求項８】
前記突出部は、複数の前記突出面のうち、前記本体機器を設置する設置面に対し、直交方向に起立して配置された側面は、前記本体機器の内側に向かって傾斜して形成されたこと、
を特徴とする請求項７記載の電話機。
【請求項９】
本体機器及び受話機器を備えた電話機であって、
前記本体機器は、前記受話器機を収容可能な収容部を備え、
前記本体機器を外部の壁面に接して配置した際、前記外部の壁面と前記収容部との間に介在して配置され、当該外部の壁面と収容部との間に、使用者が前記受話機器を掴握可能な空間を画成する介在部をさらに備えたこと、
を特徴とする電話機。
【請求項１０】
電子機器を保持して充電するための充電装置であって、
前記電子機器を収容可能な収容部を有する本体機器を備え、
前記本体機器は、当該本体機器を外部の壁面に近接して設置する際、前記外部の壁面と前記収容部との間に介在して配置され、当該外部の壁面と収容部との間に、使用者が前記電子機器を掴握可能な空間を画成する介在部を備えたこと、
を特徴とする充電装置。
【発明の詳細な説明】
【技術分野】
【０００１】
本発明は、電話機及び充電装置に関し、特に、電話機及び充電装置を設置する際、壁際に設置しても、使用者が電子機器を掴握可能な電話機及び充電装置に関する。
【背景技術】
【０００２】
従来、電話機は、使用者の利便性を向上させるために、子機に無線機能を搭載して、親機から離れた位置でも通信可能な、いわゆる、コードレス電話としたり、受話部の音声を外部に放音して通話可能な、いわゆる、ハンドレス電話としたものが一般的に知られている。
【０００３】
近年、電話機には、使用者の利便性を向上させたものだけでなく、電話機自体のデザイン性を考慮したものが求められている。デザイン性を考慮した電話機として、例えば、特許文献１には、ケースに電話機を収納することで、ケースと電話機とに一体感を持たせることが可能なハンドセット型電話機の充電装置が開示されている。このように、特許文献１は、ケースと電話機とに一体感を持たせることで、電話機自体をスマートに見せることを可能にしてデザイン性を向上させている。
【０００４】
また、特許文献２には、電話機本体に受話器を収納することで、電話機本体と受話器とに一体感を持たせることが可能であるとともに、電話機本体を設置する際、電話機本体を壁掛け、横置き等、設置態様に制約されない電話機が開示されている。このように、特許文献２は、電話機本体と受話器とに一体感を持たせることで、電話機自体をスマートに見せることを可能にしているとともに、電話機本体の設置態様に制限されないことで、使用者の好みに応じて設置することを可能にしてデザイン性を向上させている（例えば、壁掛け、横置きで子機が上下方向、横置きで子機が左右方向に設置など。）。
【先行技術文献】
【特許文献】
【０００５】
【特許文献１】特開平１０−２４３０６９号公報（図１及び図２参照。）
【特許文献２】特開平７−２８３８５４号公報（段落０００７参照。）
【発明の概要】
【発明が解決しようとする課題】
【０００６】
ところで、上記特許文献１では、ケースの長手方向に切り込み部が設けられているため、使用者が電話機を掴み易いようになっている。また、上記特許文献２では、呼び出し信号の受信を契機として、受話器が上方に持ち上がるように構成されているため、使用者が受話器を掴み易いようになっている。
【０００７】
しかしながら、上記特許文献１及び２では、ケース（特許文献２では、電話機。）を設置する際、このケースの長手方向、すなわち、電話機の長手方向が壁際となるように設置した場合、この壁の壁面と電話機（特許文献２では、受話器。）との距離が近接するため、使用者が壁面と電話機との間に指を入れにくくなってしまうという課題がある。
【０００８】
このため、上記特許文献１及び２では、ケース（以下、親機という。）を壁際に設置した場合、使用者が電話機（以下、子機という。）を掴み難いという課題がある。これにより、上記特許文献１及び２では、例えば、使用者が子機を掴む際、掴み損ねて落してしまい、子機を破損させてしまう可能性が考えられる。
【０００９】
本発明の目的は、上記従来の実状を鑑みて、壁際である外部の壁面に親機を近接させて設置した場合であっても、使用者が子機を掴むために必要な空間を確保することが可能な電話機及び充電装置を提供することにある。
【課題を解決するための手段】
【００１０】
請求項１に記載の発明は、本体機器及び受話機器を備えた電話機であって、上記本体機器は、上記受話機器を収容可能な収容部と、上記本体機器を構成する筺体の外周面のうち、上記収容部を囲う第１外周面領域に対して上記筺体の外方に突出した突出部と、を有し、上記第１外周面領域の一部には、上記収容部に収容された上記受話機器を露出させる切り込み部を有することを特徴とする。
【図面の簡単な説明】
【００１１】
【図１】本発明の一実施の形態である電話機の構成について、この電話機の正面部側を模式的に示す正面側斜視図である。
【図２】本発明の一実施の形態である電話機の構成について、この電話機の背面部側を模式的に示す背面側斜視図である。
【図３】本発明の一実施の形態である電話機の構成について、この電話機を上面部側から模式的に示す平面図である。
【図４】本発明の一実施の形態である電話機の親機の構成について、この親機の背面部側を模式的に示す背面斜視図である。
【図５】本発明の一実施の形態である電話機の親機の構成について、この親機を上面部側から模式的に示す平面図である。
【図６】図５における線Ｉ−Ｉ´を模式的に示す断面図である。
【図７】図５における線ＩＩ−ＩＩ´を模式的に示す断面図である。
【図８】本発明の一実施の形態である電話機について、この電話機を壁際に設置した状態を正面部側から模式的に示す正面側斜視図である。
【図９】本発明の一実施の形態である電話機について、この電話機を壁際に設置した状態を側面部側から模式的に示す側面側断面図である。
【図１０】本発明の他の実施の形態である電話機について、この電話機を上面部側から模式的に示す平面図である。
【発明を実施するための形態】
【００１２】
（実施の形態１）
以下、図面を参照しながら、本発明の実施の形態について詳細に説明する。まず、本発明の一実施の形態である電話機１００の構成について、図１乃至図３を用いて説明する。図１は、本発明の一実施の形態である電話機１００の構成について、この電話機１００の正面部１１側を模式的に示す正面側斜視図であり、図２は、本発明の一実施の形態である電話機１００の構成について、この電話機１００の背面部１２側を模式的に示す背面側斜視図であり、図３は、本発明の一実施の形態である電話機１００の構成について、この電話機１００を上面部側から模式的に示す平面図である。
【００１３】
図１乃至図３に例示されるように、本実施の形態において、電話機１００は、通信回線網に接続可能な通信部（接続手段）を具備する親機（本体機器）と、この親機１０に無線回線で接続することで、通信回線網に接続可能な子機（受話機器）と、を備えて構成されている。
【００１４】
子機１０１は、通常、親機１０の後述する収容部１８に収容されている。そして、子機１０１は、使用者が使用時に収容部１８から取り出し可能となるよう収容部１８に収容されている。
【００１５】
この子機１０１の外郭は、外観視すると、略直方体形状をなして形成された筺体により構成されている。そして、子機１０１の筺体の内部には、図示しない送話器、受話器及び通信部等が設けられている。
【００１６】
送話器は、筺体の長手方向の一方側に設けられており、受話器は、筺体の長手方向の他方側に設けられている。通信部は、送話器と受話器との間に設けられている。なお、これら送話器、受話器及び通信部については、周知の技術であるため、その説明を省略する。
【００１７】
この子機１０１は、上述したように、外観視すると、略直方体形状をなして形成された筺体により構成されている。すなわち、略直方体形状をなして形成された子機１０１の筺体は、この子機１０１を親機１０の収容部１８に収容する際、後述する親機１０の収容部１８の底面部側に位置する図示しない正面部と、子機１０１を親機１０の収容部１８に収容する際、親機１０の外方側に位置する背面部１０２と、これら正面部及び背面部１０２の縁部間を繋ぐ側面部１０３と、により構成されている。
【００１８】
この子機１０１を構成する筺体の正面部における長手方向の一方側には、送話器に使用者の声音を入力し易くするための図示しない送話器孔が形成されている。そして、この長手方向の端部には、親機１０の充電部に接続可能な図示しない送話側凹部が形成されている。
【００１９】
一方、子機１０１を構成する筺体の正面部における長手方向の他方側には、受話器から出力される音声を使用者が聞き取り易くするための図示しない受話器孔が形成されている。そして、この長手方向の端部には、親機１０の充電部に接続可能な図示しない受話側凹部が形成されている。
【００２０】
これら送話器側凹部及び受話器側凹部は、略同形状をなして形成されている。このため、親機１０の収容部１８に子機１０１を収容する際、収容する向きを一方向に限定されることなく収容することが可能になる。これにより、親機１０の収容部１８に子機１０１を入れ易くなり、使用者が使用する際の利便性を向上させることができる。
【００２１】
また、子機１０１を構成する筺体の背面部１０２には、ＬＥＤ等のランプ１０４が設けられている。このランプ１０４は、例えば、子機１０１が充電状態である場合等、所定の状態のときに、点灯して使用者に報知するようになっている。
【００２２】
このランプ１０４は、子機１０１の背面部１０２に形成された凹状部に埋め込まれている。ここで、凹状部は、子機１０１の外方に向かって広がって形成されている。これにより、ランプ１０４が発する光を広角に照射可能にしているため、使用者にとって視認し易いようになっている。
【００２３】
また、ランプ１０４は、受話器側寄りに設けられている。これにより、子機１０１の背面部１０２側からでも子機１０１の受話器と送話器との位置関係を把握することができる。なお、本実施の形態では、ランプ１０４は、受話器側寄りに設けられているが、これに限定されず、送話器側に設けて、受話器と送話器との位置関係を把握することができるようにしても良い。
【００２４】
また、子機１０１を構成する筺体の側面部１０３には、スピーカ孔１０５が形成されている。このスピーカ孔１０５は、子機１０１が親機１０の収容部１８に収容された際、親機１０の上面部１７よりも上方、すなわち、スピーカから発する音が収容部１８により遮蔽されない位置に配置されている。ここで、スピーカ孔１０５は、親機１０の上面部１７よりも上方に配置されることで、スピーカから発する音が収容部１８により遮蔽されない位置である反面、塵、埃等が入り易い位置に配置されることになる。
【００２５】
このため、スピーカ孔１０５は、ハニカム状をなして形成されている。これにより、スピーカ孔１０５から子機１０１の内部に、塵、埃等が入り込まないようになっている。このように、スピーカ孔１０５は、スピーカから発する音が収容部１８により遮蔽されない位置に配置されるという利点を維持しながら、塵、埃等が入り込まないようになっている。
【００２６】
次に、本実施の形態の親機１０について、図４乃至図７を用いて説明する。図４は、本発明の一実施の形態である電話機１００の親機１０の構成について、この親機１０の背面部１２側を模式的に示す背面斜視図であり、図５は、本発明の一実施の形態である電話機１００の親機１０の構成について、この親機１０を上面部１７側から模式的に示す平面図であり、図６は、図５における線Ｉ−Ｉ´を模式的に示す断面図であり、図７は、図５における線ＩＩ−ＩＩ´を模式的に示す断面図である。
【００２７】
図４乃至図７に例示されるように、本実施の形態の親機１０は、外観視すると、略直方体形状をなして形成されている。そして、親機１０は、この親機１０を設置した際、親機１０の正面側となる正面部１１に表示部１５を備えて構成されている。表示部１５は、例えば、透過性のパネル等により構成され、着信履歴等を表示可能にしている。
【００２８】
また、親機１０の正面部１１には、操作部１６が配設されている。この操作部１６は、第１操作部１６ａから第７操作部１６ｇにより構成されており、このうち、正面部１１には、第１操作部１６ａ、第２操作部１６ｂ、第３操作部１６ｃ及び第４操作部１６ｄが配設されている。
【００２９】
これら第１操作部１６ａ、第２操作部１６ｂ、第３操作部１６ｃ及び第４操作部１６ｄは、ゴム材等を用いて構成され、第１操作部１６ａは、例えば、使用者がこの第１操作部１６ａを押圧することで、親機１０に記憶された情報の消去を実行可能にしている。また、第２操作部１６ｂは、例えば、使用者がこの第２操作部１６ｂを押圧することで、親機１０に録音された音声メッセージの再生、或いは、停止を実行可能にしている。また、第３操作部１６ｃは、例えば、使用者がこの第３操作部１６ｃを押圧することで、留守番設定を実行可能にしている。また、第４操作部１６ｄは、例えば、使用者がこの第４操作部１６ｄを押圧することで、表示部１５に着信履歴を表示可能にしている。
【００３０】
また、親機１０は、この親機１０を設置した際、親機１０の上面側となる上面部１７に子機１０１を収容可能な収容部１８を備えて構成されている。この収容部１８は、親機１０を断面視すると、凹状をなして形成され、底面部１９及び底面部１９の外周縁から上方に立設する壁面部２０により構成されている。なお、収容部１８の内側の大きさは、子機１０１が収容された際に所定の遊び（クリアランス）が生じる程度の大きさとなっている。
【００３１】
収容部１８の底面部１９における略中央部には、操作部１６を構成する第１操作部１６ａから第７操作部１６ｇのうち、第５操作部１６ｅ、第６操作部１６ｆ及び第７操作部１６ｇが配設されている。
【００３２】
第５操作部１６ｅは、例えは、機能／選択ボタンであり、使用者がこの第５操作部１６ｅを押圧することで、親機１０に搭載された機能を表示部１５に表示可能にしている。また、第６操作部１６ｆ及び第７操作部１６ｇは、例えば、使用者がこの第６操作部１６ｆ及び第７操作部１６ｇを押圧することで、第５操作部１６ｅにより表示部１５に表示された機能を選択可能にしている。
【００３３】
また、収容部１８の底面部１９における長手方向の一方側には、子機１０１に設けられた送話器側凹部に対応した送話器側凸部２１が形成されている。一方、他方側には、子機１０１に設けられた受話器側凹部に対応して受話器側凸部２２が形成されている。
【００３４】
これら送話器側凸部２１及び受話器側凸部２２は、互いに同形状をなして形成されている。そして、これら送話器側凸部２１及び受話器側凸部２２には、充電端子がそれぞれ設けられている。このように、収容部１８の長手方向の両端に充電端子が設けられ、同形状をなして形成されることで、子機１０１の挿入方向が左右のいずれの場合であっても、子機１０１の充電端子が親機１０の充電端子のいずれか一方に接触するものである。
【００３５】
すなわち、子機１０１の受話器側が右で、充電端子が設けられている送話器側が左でも良く、子機１０１の受話器側が左で、充電端子が設けられている送話器側が右でも良い。これにより、使用者が収容部１８に子機１０１を収容する際、子機１０１の向きを気にせずに収容することが可能になり、利便性を向上させることができる。
【００３６】
なお、本実施の形態の親機１０の充電端子は、例えば金属線からなる捩りコイルバネ等の付勢手段によって形成されており、子機１０１が収容部１８に収容された際、子機１０１の充電端子と確実に接触するようになっている。
【００３７】
また、収容部１８の開口部の外周縁部には、第１リブ部２３ａ及び第２リブ部２３ｂが設けられている。これら第１リブ部２３ａ及び第２リブ部２３ｂは、親機１０の上面部１７に対し、上方に向かって立設して形成されている。
【００３８】
これら第１リブ部２３ａ及び第２リブ部２３ｂは、使用者が親機１０の収容部１８に子機１０１を収容する際、子機１０１の収容部１８への進入方向を位置決めする役目を果たしている。
【００３９】
すなわち、収容部１８の外縁に第１リブ部２３ａ及び第２リブ部２３ｂが上面部１７の上方に向かって立設して形成されることで、使用者が収容部１８に子機１０１を収容する際、斜め方向から入れても、第１リブ部２３ａ及び第２リブ部２３ｂにより位置決めされ、上方から入るようになっている。ここで、収容部１８は、上述したように、子機１０１に対し、クリアランスが生じる程度の大きさにより形成されている。このため、収容部１８に子機１０１を収容する際、斜めから入ると、子機１０１の四隅の一つ、或いは二つが収容部１８の壁面部２０に当たってしまい、所定の位置に収容されない可能性がある。
【００４０】
このため、使用者が収容部１８に子機１０１を収容する際、第１リブ部２３ａ及び第２リブ部２３ｂにより子機１０１を上方から入れることが可能になることで、子機１０１の収容部１８への進入方向を決めることが可能になる。これにより、収容部１８に子機１０１を収容する際、親機１０の送話器側凸部２１及び受話器側凸部２２に子機１０１の送話器側凹部及び受話器側凹部を確実に挿嵌させることができる。
【００４１】
本実施の形態において、収容部１８の壁面部２０には、切り込み部２４が形成されている。具体的には、切り込み部２４は、収容部１８の壁面部２０のうち、親機１０の背面部１２側の壁面部２０に形成されている。
【００４２】
そして、切り込み部２４は、親機１０の背面部１２側から背面視すると、凹状をなして形成されている。ここで、切り込み部２４は、この切り込み部２４を親機１０の背面部１２側から背面視した幅長を、使用者の人指し指から小指までが入る幅長で形成されている。このように、親機１０の背面部１２側に切り込み部２４が形成されることで、使用者が子機１０１を掴み易いようになっている。
【００４３】
また、切り込み部２４の底面部２４ａは、親機１０の背面部１２側に向かって下方に傾斜して形成されている。このため、使用者が収容部１８に収容された子機１０１を掴む際、切り込み部２４の傾斜面上で指を滑らせながら掴むことが可能になる。これにより、使用者が子機１０１を掴み易いようになっているとともに、使用者の指への感触を和らげることができる。
【００４４】
本実施の形態において、親機１０は、この親機１０の正面部１１、背面部１２、側面部１３及び側面部１４からなる外周面のうち、収容部１８を囲う第１外周面領域Ａに対して突出した突出部２５を備えて構成されている。
【００４５】
具体的には、この突出部２５は、親機１０を設置した際、親機１０の背面側となる背面部１２に親機１０の背面から後方に突出している。この突出部２５は、親機１０の背面部１２側から外方に向かって突出する複数の突出面により構成され、上面部２６、下面部、側面部２７及び側面部２８と、これら上面部２６、下面部、側面部２７及び側面部２８を繋ぐ背面部２９とにより構成されている。
【００４６】
このため、親機１０を外部の壁面４０に近接させて設置する際、この外部の壁面４０と子機１０１との間に空間が形成される。そして、壁面部２０に形成された切り込み部２４も外部の壁面４０から離して配置されている。
【００４７】
ここで、本実施の形態の親機１０の一態様として、突出部２５の上面部２６及び下面部は、親機１０の背面部１２からおよそ１０ｍｍ突出して形成されている（図５及び図６のａ幅。）。また、切り込み部２４は、およそ１２ｍｍで形成されている（図５及び図６のｂ幅。）。
【００４８】
すなわち、外部の壁面４０と切り込み部２４との距離は、上面部２６及び下面部の突出量である１０ｍｍとなり、外部の壁面４０と子機１０１との距離は、およそ２２ｍｍとなる。このため、使用者が指を入れても充分に曲げることが可能になる。これにより、本実施の形態の電話機１００は、親機１０を外部の壁面４０に近接させて設置しても、子機１０１を掴み易いため、子機１０１の掴み損ねによる落下を抑止することができる。
【００４９】
また、突出部２５は、正面部１１、背面部１２、側面部１３及び側面部１４からなる外周面にうち、第１外周面領域Ａ以外の領域に設けられている。具体的には、切り込み部２４の底面部２４ａの面上から引き出した延長戦より下方に配設されている。ここで、本実施の形態の親機１０の一態様として、突出部２５は、上面部１７からおよそ３５ｍｍ下がった位置に配設されている。このため、突出部２５は、親機１０を設置した際、使用者からほぼ見えない位置に配置されている。
【００５０】
そして、突出部２５の上面部２６は、切り込み部２４の底面部２４ａと同様に、親機１０の背面部１２側に向かって下方に傾斜して形成されている。このため、親機１０を設置した際、使用者から突出部２５が見えないようになっている。これにより、本実施の形態の電話機１００によれば、電話機１００の外観を維持しつつ、外部の壁面４０から子機１０１を離すことが可能になる。
【００５１】
よって、本実施の形態の電話機１００によれば、この電話機１００を外部の壁面４０に設置した場合であっても、電話機１００の外観性を維持しつつ、親機１０に収容された子機１０１を掴むための空間を十分に確保することができる。
【００５２】
また、突出部２５の側面部２７及び側面部２８は、親機１０の内側に向かって傾斜して形成されている。そして、これら側面部２７及び側面部２８と背面部２９との縁部は、円弧状をなして形成されている。
【００５３】
このため、親機１０を設置した際、使用者から突出部２５が見えないようになっている。これにより、親機１０の外観を維持しつつ、外部の壁面４０から切り込み部２４を離すことが可能になる。
【００５４】
また、突出部２５の背面部２９には、凹部３０が形成されている。そして、凹部３０には、電源端子を挿入可能な電源端子孔３１、通信回線網との接続手段である通信端子を挿入可能な通信端子孔３２及び、電源端子コード及び通信端子コードを巻き付け可能なコード巻き付け部３３が配設されている。
【００５５】
このように、これら電源端子孔３１、通信端子孔３２及びコード巻き付け部３３が凹部３０に配設されることで、親機１０を外部の壁面４０に近接させて設置しても、電源端子孔３１、通信端子孔３２及びコード巻き付け部３３を外部の壁面４０から離して配設することが可能になる。これにより、電源端子孔３１、通信端子孔３２及びコード巻き付け部３３の耐久性を向上させることができる。
【００５６】
また、親機１０の背面部１２には、スピーカ孔３４が形成されている。スピーカ孔３４は、親機１０の背面部１２のうち、突出部２５とは異なる位置に形成されている。このため、電話機１００を外部の壁面４０に近接して設置した際、上述したように、外部の壁面と背面部１２との間に空間が形成されるため、スピーカ孔３４が外部の壁面により遮蔽されないようになっている。
【００５７】
以上、本実施の形態の電話機１００について、図１乃至図７を用いて説明したが、この実施の形態に限られるものではなく、本発明の要旨を逸脱しない範囲の設計の変更等があっても本発明に含まれる。一例として、突出部２５の形状を半球面状にしても良い。
【００５８】
次に、本実施の形態の電話機１００の使用状態について、図８及び図９を用いて説明する。図８は、本発明の一実施の形態である電話機１００について、この電話機１００を壁際に設置した状態を正面部側から模式的に示す正面側斜視図であり、図９は、本発明の一実施の形態である電話機１００について、この電話機１００を壁際に設置した状態を側面部側から模式的に示す側面側断面図である。
【００５９】
図８及び図９に例示されるように、本実施の形態の電話機１００は、親機１０の背面部１２側に突出部２５を備えて構成されている。なお、本実施の形態の突出部２５は、上述したように、親機１０の背面部１２と外部の壁面４０との間に配置されており、外部の壁面４０の近傍に配置した際、使用者から目視し難い位置に配置されている。このため、図８では、突出部２５を不図示としている。
【００６０】
このように、本実施の形態の電話機１００は、親機１０の背面部１２側に突出部２５を備えているため、電話機１００を外部の壁面４０に近接して設置した場合であっても、子機１０１と外部の壁面４０との間に空間が形成される。このように、子機１０１と外部の壁面４０との間に空間が形成されることで、この空間に使用者が指を入れることが可能になる。さらに、この空間で使用者が指を曲げることが可能になる。
【００６１】
したがって、本実施の形態の電話機１００は、親機１０の背面部１２側に、この背面部１２側から外部の壁面４０側に向かって突出する突出部２５が形成されることで、電話機１００を外部の壁面４０に近接して設置する際、親機１０の収容部１８に収容された子機１０１を掴むための空間を確保することが可能になる。
【００６２】
よって、本実施の形態の電話機１００によれば、使用者が親機１０の収容部１８に収容された子機１０１を掴む際、子機１０１の掴み損ねを抑止することができ、使用時の利便性及び安全性を向上させることができる。
【００６３】
さらに、本実施の形態の電話機１００によれば、従来のような、外部の壁面４０に近接して設置することが困難であるという設置時の制約を解消することが可能になり、電話機１００を設置する設置時の手間を軽減することができる。
【００６４】
また、本実施の形態の電話機１００は、親機１０の背面部１２側に切り込み部２４を備えて構成されている。このように、親機１０の背面部１２側に切り込み部２４が形成されることで、使用者が子機１０１を掴む際、この切り込み部２４に指を入れて掴むことが可能になる。これにより、使用者が子機１０１を掴み易くなり、子機１０１の掴み損ねをより抑止することができ、使用時の利便性及び安全性をより向上させることができる。
【００６５】
このとき、切り込み部２４の底面部２４ａは、親機１０の背面部１２側に向かって下方に傾斜して形成されている。これにより、使用者が子機１０１を掴む際、指を傾斜面上で滑らせて掴むことが可能になり、使用者の指への感触を和らげることができる。
【００６６】
また、本実施の形態の突出部２５は、親機１０の背面部１２の下方側に配設されている。そして、突出部２５の上面部２６は、外部の壁面４０側に向かって、切り込み部２４の底面部と同じ角度で下方に傾斜して形成されている。また、突出部２５の側面部２８及び側面部２７は、親機１０を平面視すると、互いに交差する角度をなして形成されている。これら側面部２８及び側面部２７と突出部２５の背面部とは、円弧状をなして形成されている。
【００６７】
これにより、電話機１００を設置した際、突出部２５が見え難くなる。このように、親機１０を設置した際、突出部２５を見えにくい位置に形成することで、親機１０の外観上のデザイン性を維持することができる。
【００６８】
（実施の形態２）
本発明の他の実施の形態について、図１０を用いて説明する。図１０は、本発明の他の実施の形態である電話機２００について、この電話機２００を上面部２１８から模式的に示す平面図である。本実施の形態の電話機２００は、上述の実施の形態１の突出部２５に代わって、切り込み部２２３の幅を広げることで、外部の壁面４０と子機１０１との間の空間を画成した点が異なり、他の構成は、同様である。したがって、実施の形態１と同一又は相当する部分については、同様の符号を付してその説明を省略する。
【００６９】
図１０に例示されるように、本実施の形態の電話機２００の親機２１０は、この親機２１０を外部の壁面４０に近接させて設置する際、この外部の壁面４０と収容部１８との間に介在して配置され、使用者が子機１０１を掴握可能な空間を画成する介在部を備えて構成されている。
【００７０】
具体的には、この介在部は、電話機２００の切り込み部２２３を上述の実施の形態１の切り込み部２４及び突出部２５の幅と同様の幅をなして形成された壁面部２２０である。この切り込み部２２３の幅は、およそ２２ｍｍである。これにより、上述の実施の形態１と同様に、電話機２００を外部の壁面４０に近接して設置した場合であっても、子機１０１と外部の壁面４０との間に空間が形成される。
【００７１】
このように、子機１０１と外部の壁面４０との間に空間が形成されることで、この空間に使用者が指を入れることが可能になる。さらに、この空間で使用者が指を曲げることが可能になる。すなわち、本実施の形態の切り込み部２２３の幅は、使用者が子機１０１を掴握可能となるような幅を有して形成されている。
【００７２】
したがって、本実施の形態の電話機２００は、使用者が子機１０１を掴握可能となるような幅を有して切り込み部２２３を形成することで、親機２１０を外部の壁面４０に近接して設置しても、親機２１０の収容部１８に収容された子機１０１を掴むための空間を確保することが可能になる。
【００７３】
よって、本実施の形態の電話機２００によれば、使用者が親機２１０の収容部１８に収容された子機１０１を掴む際、子機１０１を掴み易くなっているため、使用時の利便性を向上させることができる。これにより、子機１０１の掴み損ねによる子機１０１の落下を抑止することができ、使用時の安全性を向上させることができる。
【００７４】
さらに、本実施の形態の電話機２００によれば、従来のような、外部の壁面４０に近接して設置することが困難であるという設置時の制約を解消することが可能になり、電話機２００を設置する設置時の手間を軽減することができる。
【００７５】
また、本実施の形態の電話機２００は、上述の実施の形態１のように、背面部１２側に突出部が形成されていないため、電話機２００を外部の壁面４０に近接して設置しても、子機１０１を掴むための空間を確保しつつ、電話機１００自体の外観を維持することができる。
【符号の説明】
【００７６】
１０      親機（本体機器）
１１      正面部（外周面）
１２      背面部（外周面）
１３      側面部（外周面）
１４      側面部（外周面）
１５      表示部
１６      操作部
１８      収容部
２４      切り込み部
２４ａ    底面部（切り込み部の底面）
２５      突出部
２６      上面部（突出部の上面）
２７      側面部（側面）
２７      側面部（側面）
４０      外部の壁面
１００      電話機
１０１      子機（受話機器）
【図１】
2012129926.tif 000003
【図２】
2012129926.tif 000004
【図３】
2012129926.tif 000005
【図４】
2012129926.tif 000006
【図５】
2012129926.tif 000007
【図６】
2012129926.tif 000008
【図７】
2012129926.tif 000009
【図８】
2012129926.tif 000010
【図９】
2012129926.tif 000011
【図１０】
2012129926.tif 000012